(57)【要約】  本発明はパケットロスのリスクを低減し、ユーザーエクスペリエンスを向上させることができる通信方法、端末装置及びネットワーク装置を開示する。該方法は、端末装置がネットワーク装置から送信された第１指示情報を受信し、該第１指示情報は前記端末装置の第１アップリンク伝送をスケジューリングすることに用いられることと、前記端末装置が前記ネットワーク装置から送信された物理層シグナリングを受信し、該物理層シグナリングは前記端末装置が前記第１アップリンク伝送を停止又は一時停止することを指示することに用いられ、又は該物理層シグナリングは前記第１アップリンク伝送の設定パラメータを修正することに用いられることと、前記端末装置が前記物理層シグナリングに基づいて前記第１アップリンク伝送の処理を実行することと、を含む。
2019536326.tif 000002
【特許請求の範囲】
【請求項１】
通信方法であって、
端末装置はネットワーク装置から送信された第１指示情報を受信し、前記第１指示情報は前記端末装置の第１アップリンク伝送をスケジューリングすることに用いられることと、
前記端末装置は前記ネットワーク装置から送信された物理層シグナリングを受信し、前記物理層シグナリングは前記端末装置が前記第１アップリンク伝送を停止又は一時停止することを指示することに用いられ、又は前記物理層シグナリングは前記第１アップリンク伝送の設定パラメータを修正することに用いられることと、
前記端末装置は前記物理層シグナリングに基づいて前記第１アップリンク伝送の処理を実行することと、を含むことを特徴とする通信方法。
【請求項２】
前記端末装置が前記物理層シグナリングに基づいて前記第１アップリンク伝送の処理を実行することは、
前記物理層シグナリングを受信したときに前記端末装置がまだ前記第１アップリンク伝送を完了していない場合、前記物理層シグナリングに基づいて前記第１アップリンク伝送の処理を実行することを含むことを特徴とする請求項１に記載の方法。
【請求項３】
前記方法は、更に、
前記物理層シグナリングを受信したときに前記端末装置が前記第１アップリンク伝送を既に完了した場合、前記端末装置が前記物理層シグナリングを廃棄することを含むことを特徴とする請求項１又は２に記載の方法。
【請求項４】
前記物理層シグナリングは前記端末装置が前記第１アップリンク伝送を一時停止することを指示することに用いられ、
前記端末装置が前記物理層シグナリングに基づいて前記第１アップリンク伝送の処理を実行した後、前記方法は、更に、
前記端末装置が前記ネットワーク装置から送信された第２指示情報を受信し、前記第２指示情報は前記端末装置が前記第１アップリンク伝送を停止又は続行することを指示すること、又は前記端末装置が新しい設定パラメータを用いて前記第１アップリンク伝送を行うことを指示することに用いられることと、
前記端末装置が前記第２指示情報に基づいて前記第１アップリンク伝送の処理を実行することと、を含むことを特徴とする請求項１〜３のいずれか１項に記載の方法。
【請求項５】
前記方法は、更に、
前記物理層シグナリングが前記端末装置の前記第１アップリンク伝送を一時停止することを指示することに用いられると確定したとき、前記端末装置がタイマーを起動することを含み、
前記端末装置が前記ネットワーク装置から送信された第２指示情報を受信することは、
前記端末装置が、前記タイマーがタイムアウトになる前に前記ネットワーク装置から送信された第２指示情報を受信することを含むことを特徴とする請求項４に記載の方法。
【請求項６】
前記方法は、更に、
前記タイマーがタイムアウトになる前に、前記ネットワーク装置から送信された第２指示情報を受信していない場合、前記端末装置が前記第１アップリンク伝送を停止することを含むことを特徴とする請求項５に記載の方法。
【請求項７】
前記物理層シグナリングは、具体的に、前記第１アップリンク伝送の設定パラメータである波形、伝送リソース、変調符号化方式ＭＣＳ及びビームフォーミングのためのパラメータのうちの少なくとも１つを修正することに用いられることを特徴とする請求項１〜６のいずれか１項に記載の方法。
【請求項８】
前記端末装置が前記ネットワーク装置から送信された物理層シグナリングを受信する前に、前記方法は、更に、
前記物理層シグナリングが具体的に前記第１アップリンク伝送の波形を修正することに用いられる場合、前記端末装置が前記ネットワーク装置から送信された高層シグナリングを受信し、前記高層シグナリングには前記端末装置のサポートする少なくとも２つの選択可能なアップリンク波形の各選択可能なアップリンク波形に対応する設定パラメータが含まれ、前記少なくとも２つの選択可能なアップリンク波形は前記第１アップリンク伝送の修正済み波形を含むことと、
前記物理層シグナリングが前記高層シグナリングに含まれる、前記修正済み波形に対応する設定パラメータを含むことと、を含み、
前記端末装置が前記ネットワーク装置から送信された物理層シグナリングを受信した後、前記方法は、更に、
前記端末装置が前記物理層シグナリングに含まれる設定パラメータに基づいて、前記修正済み波形を用いて前記第１アップリンク伝送を行うことを確定することを含むことを特徴とする請求項１〜７のいずれか１項に記載の方法。
【請求項９】
前記端末装置が前記ネットワーク装置から送信された物理層シグナリングを受信することは、
前記端末装置のアップリンク伝送波形を変更する必要があると確定したとき、前記端末装置が前記ネットワーク装置から送信された物理層シグナリングを受信することを含むことを特徴とする請求項１〜８のいずれか１項に記載の方法。
【請求項１０】
前記第１アップリンク伝送は物理アップリンク共有チャネルＰＵＳＣＨの伝送、アップリンク参照信号の伝送及び物理アップリンク制御チャネルＰＵＣＣＨの伝送のうちの少なくとも１つを含むことを特徴とする請求項１〜９のいずれか１項に記載の方法。
【請求項１１】
前記第１アップリンク伝送がＰＵＳＣＨの伝送を含む場合、前記第１指示情報は前記第１アップリンク伝送に対応するアップリンク伝送番号を含み、
前記物理層シグナリングには前記第１アップリンク伝送に対応するアップリンク伝送番号が含まれ、
前記端末装置が前記ネットワーク装置から送信された物理層シグナリングを受信した後、前記方法は、更に、
前記端末装置が前記物理層シグナリングに含まれるアップリンク伝送番号に基づいて、前記物理層シグナリングに対応する前記第１アップリンク伝送を確定することを含むことを特徴とする請求項１〜１０のいずれか１項に記載の方法。
【請求項１２】
前記物理層シグナリングは更に前記端末装置の第２アップリンク伝送をスケジューリングすることに用いられ、
前記方法は、更に、
前記物理層シグナリングに基づいて前記第２アップリンク伝送を行うことを含むことを特徴とする請求項１〜１１のいずれか１項に記載の方法。
【請求項１３】
通信方法であって、
ネットワーク装置は端末装置に第１指示情報を送信し、前記第１指示情報は前記端末装置の第１アップリンク伝送をスケジューリングすることに用いられることと、
前記ネットワーク装置は前記端末装置に物理層シグナリングを送信し、前記物理層シグナリングは前記端末装置が前記第１アップリンク伝送を停止又は一時停止することを指示することに用いられ、又は前記物理層シグナリングは前記第１アップリンク伝送の設定パラメータを修正することに用いられることと、を含むことを特徴とする通信方法。
【請求項１４】
前記ネットワーク装置が前記端末装置に物理層シグナリングを送信した後、前記方法は、更に、
前記ネットワーク装置が前記第１指示情報によってスケジューリングされた伝送リソースにおいて検出を行うことと、
前記伝送リソースにおいてアップリンク伝送を検出した場合、検出されたアップリンク伝送に対して復調処理を行うことと、を含むことを特徴とする請求項１３に記載の方法。
【請求項１５】
前記物理層シグナリングは前記端末装置が前記第１アップリンク伝送を一時停止することを指示することに用いられ、
前記ネットワーク装置が前記端末装置に物理層シグナリングを送信した後、前記方法は、更に、
前記ネットワーク装置が前記端末装置に第２指示情報を送信し、前記第２指示情報は前記端末装置が前記第１アップリンク伝送を停止又は続行することを指示すること、又は前記端末装置が修正済み設定パラメータを用いて前記第１アップリンク伝送を行うことを指示することに用いられることを含むことを特徴とする請求項１３又は１４に記載の方法。
【請求項１６】
前記ネットワーク装置が前記端末装置に第２指示情報を送信する前に、前記方法は、更に、
前記ネットワーク装置が前記端末装置に第３指示情報を送信し、前記第３指示情報は前記端末装置のアップリンク伝送の一時停止のためにタイマーを設定することに用いられることを含み、
前記ネットワーク装置が前記端末装置に第２指示情報を送信することは、
前記タイマーがタイムアウトになる前に、前記ネットワーク装置が前記端末装置に第２指示情報を送信することを含むことを特徴とする請求項１５に記載の方法。
【請求項１７】
前記物理層シグナリングは、具体的に、前記第１アップリンク伝送の設定パラメータである波形、伝送リソース、変調符号化方式ＭＣＳ及びビームフォーミングのためのパラメータのうちの少なくとも１つを修正することに用いられることを特徴とする請求項１３〜１６のいずれか１項に記載の方法。
【請求項１８】
前記ネットワーク装置が前記端末装置に物理層シグナリングを送信する前に、前記方法は、更に、
前記物理層シグナリングが具体的に前記第１アップリンク伝送の波形を修正することに用いられる場合、前記ネットワーク装置が前記端末装置に高層シグナリングを送信することを含み、前記高層シグナリングには前記端末装置のサポートする少なくとも２つの選択可能なアップリンク波形の各選択可能なアップリンク波形に対応する設定パラメータが含まれ、前記少なくとも２つの選択可能な波形は前記第１アップリンク伝送の修正済み波形を含み、
前記物理層シグナリングは前記高層シグナリングに含まれる前記修正済み波形に対応する設定パラメータを含むことを特徴とする請求項１３〜１７のいずれか１項に記載の方法。
【請求項１９】
前記ネットワーク装置が前記端末装置に物理層シグナリングを送信することは、
前記端末装置のアップリンク伝送波形を変更する必要があると確定したとき、前記ネットワーク装置が前記端末装置に物理層シグナリングを送信することを含むことを特徴とする請求項１３〜１８のいずれか１項に記載の方法。
【請求項２０】
前記第１アップリンク伝送は物理アップリンク共有チャネルＰＵＳＣＨの伝送、アップリンク参照信号の伝送及び物理アップリンク制御チャネルＰＵＣＣＨの伝送のうちの少なくとも１つを含むことを特徴とする請求項１３〜１９のいずれか１項に記載の方法。
【請求項２１】
前記第１アップリンク伝送がＰＵＳＣＨの伝送を含む場合、前記第１指示情報は前記第１アップリンク伝送に対応するアップリンク伝送番号を含み、
前記物理層シグナリングには前記第１アップリンク伝送に対応するアップリンク伝送番号が含まれることを特徴とする請求項１３〜２０のいずれか１項に記載の方法。
【請求項２２】
前記物理層シグナリングは更に前記端末装置の第２アップリンク伝送をスケジューリングすることに用いられることを特徴とする請求項１３〜２１のいずれか１項に記載の方法。
【請求項２３】
端末装置であって、
ネットワーク装置から送信された第１指示情報を受信し、前記第１指示情報は前記端末装置の第１アップリンク伝送をスケジューリングすること、及び前記ネットワーク装置から送信された物理層シグナリングを受信することに用いられ、前記物理層シグナリングは前記端末装置が前記第１アップリンク伝送を停止又は一時停止することを指示することに用いられ、又は前記物理層シグナリングは前記第１アップリンク伝送の設定パラメータを修正することに用いられる受信ユニットと、
前記受信ユニットの受信した前記物理層シグナリングに基づいて前記第１アップリンク伝送の処理を実行するための処理ユニットと、を含むことを特徴とする端末装置。
【請求項２４】
前記処理ユニットは、具体的に、前記受信ユニットが前記物理層シグナリングを受信したときに前記第１アップリンク伝送がまだ完了していない場合、前記物理層シグナリングに基づいて前記第１アップリンク伝送の処理を実行することに用いられることを特徴とする請求項２３に記載の端末装置。
【請求項２５】
前記処理ユニットは、更に、前記受信ユニットが前記物理層シグナリングを受信したときに前記第１アップリンク伝送が既に完了した場合、前記物理層シグナリングを廃棄することに用いられることを特徴とする請求項２３又は２４に記載の端末装置。
【請求項２６】
前記物理層シグナリングは前記端末装置が前記第１アップリンク伝送を一時停止することを指示することに用いられ、
前記受信ユニットは、更に、前記処理ユニットが前記受信ユニットの受信した前記物理層シグナリングに基づいて前記第１アップリンク伝送の処理を実行した後、前記ネットワーク装置から送信された第２指示情報を受信することに用いられ、前記第２指示情報は前記端末装置が前記第１アップリンク伝送を停止又は続行することを指示すること、又は前記端末装置が新しい設定パラメータを用いて前記第１アップリンク伝送を行うことを指示することに用いられ、
前記処理ユニットは、更に、前記受信ユニットの受信した前記第２指示情報に基づいて前記第１アップリンク伝送の処理を実行することに用いられることを特徴とする請求項２３〜２５のいずれか１項に記載の端末装置。
【請求項２７】
前記処理ユニットは、更に、前記物理層シグナリングが前記端末装置の前記第１アップリンク伝送を一時停止することを指示することに用いられると確定したとき、タイマーを起動することに用いられ、
前記受信ユニットは、具体的に、前記処理ユニットの起動した前記タイマーがタイムアウトになる前に、前記ネットワーク装置から送信された第２指示情報を受信することに用いられることを特徴とする請求項２６に記載の端末装置。
【請求項２８】
前記処理ユニットは、更に、前記タイマーがタイムアウトになる前に、前記ネットワーク装置から送信された第２指示情報を受信していない場合、前記第１アップリンク伝送を停止することに用いられることを特徴とする請求項２７に記載の端末装置。
【請求項２９】
前記物理層シグナリングは、具体的に、前記第１アップリンク伝送の設定パラメータである波形、伝送リソース、変調符号化方式ＭＣＳ及びビームフォーミングのためのパラメータのうちの少なくとも１つを修正することに用いられることを特徴とする請求項２３〜２８のいずれか１項に記載の端末装置。
【請求項３０】
前記受信ユニットは、更に、前記物理層シグナリングが具体的に前記第１アップリンク伝送の波形を修正することに用いられる場合、前記ネットワーク装置から送信された物理層シグナリングを受信する前に、前記ネットワーク装置から送信された高層シグナリングを受信することに用いられ、前記高層シグナリングには前記端末装置のサポートする少なくとも２つの選択可能なアップリンク波形の各選択可能なアップリンク波形に対応する設定パラメータが含まれ、前記少なくとも２つの選択可能なアップリンク波形は前記第１アップリンク伝送の修正済み波形を含み、
前記物理層シグナリングは前記高層シグナリングに含まれる前記修正済み波形に対応する設定パラメータを含み、
前記処理ユニットは、具体的に、更に、前記受信ユニットの受信した前記物理層シグナリングに含まれる設定パラメータに基づいて、前記修正済み波形を用いて前記第１アップリンク伝送を行うと確定することに用いられることを特徴とする請求項２３〜２９のいずれか１項に記載の端末装置。
【請求項３１】
前記受信ユニットは、具体的に、前記端末装置のアップリンク伝送波形を変更する必要があると確定したときに前記ネットワーク装置から送信された物理層シグナリングを受信することに用いられることを特徴とする請求項２３〜３０のいずれか１項に記載の端末装置。
【請求項３２】
前記第１アップリンク伝送は物理アップリンク共有チャネルＰＵＳＣＨの伝送、アップリンク参照信号の伝送及び物理アップリンク制御チャネルＰＵＣＣＨの伝送のうちの少なくとも１つを含むことを特徴とする請求項２３〜３１のいずれか１項に記載の端末装置。
【請求項３３】
前記第１アップリンク伝送がＰＵＳＣＨの伝送を含む場合、前記第１指示情報は前記第１アップリンク伝送に対応するアップリンク伝送番号を含み、
前記物理層シグナリングには前記第１アップリンク伝送に対応するアップリンク伝送番号が含まれ、
前記処理ユニットは、更に、前記受信ユニットの受信した前記物理層シグナリングに含まれるアップリンク伝送番号に基づいて、前記物理層シグナリングに対応する前記第１アップリンク伝送を確定することに用いられることを特徴とする請求項２３〜３２のいずれか１項に記載の端末装置。
【請求項３４】
前記物理層シグナリングは更に前記端末装置の第２アップリンク伝送をスケジューリングすることに用いられ、
前記処理ユニットは更に前記物理層シグナリングに基づいて前記第２アップリンク伝送を行うことに用いられることを特徴とする請求項２３〜３３のいずれか１項に記載の端末装置。
【請求項３５】
ネットワーク装置であって、
端末装置に第１指示情報を送信することに用いられ、前記第１指示情報は前記端末装置の第１アップリンク伝送をスケジューリングすることに用いられる第１送信ユニットと、
前記端末装置に物理層シグナリングを送信することに用いられ、前記物理層シグナリングは前記端末装置が前記第１アップリンク伝送を停止又は一時停止することを指示することに用いられ、又は前記物理層シグナリングは前記第１アップリンク伝送の設定パラメータを修正することに用いられる第２送信ユニットと、を含むことを特徴とするネットワーク装置。
【請求項３６】
前記第２送信ユニットが前記端末装置に物理層シグナリングを送信した後、前記第１指示情報によってスケジューリングされた伝送リソースにおいて検出を行うための検出ユニットと、
前記検出ユニットが前記伝送リソースにおいてアップリンク伝送を検出した場合、検出されたアップリンク伝送に対して復調処理を行うための処理ユニットと、を更に含むことを特徴とする請求項３５に記載のネットワーク装置。
【請求項３７】
前記物理層シグナリングは前記端末装置が前記第１アップリンク伝送を一時停止することを指示することに用いられ、
前記第２送信ユニットは、更に、前記端末装置に物理層シグナリングを送信した後、前記端末装置に第２指示情報を送信することに用いられ、前記第２指示情報は前記端末装置が前記第１アップリンク伝送を停止又は続行することを指示すること、又は前記端末装置が修正済み設定パラメータを用いて前記第１アップリンク伝送を行うことを指示することに用いられることを特徴とする請求項３５又は３６に記載のネットワーク装置。
【請求項３８】
前記第２送信ユニットは、更に、前記端末装置に第２指示情報を送信する前に、前記端末装置に第３指示情報を送信することに用いられ、前記第３指示情報は前記端末装置のアップリンク伝送の一時停止のためにタイマーを設定することに用いられ、
前記第２送信ユニットが前記端末装置に第２指示情報を送信することは、
前記タイマーがタイムアウトになる前に、前記第２送信ユニットが前記端末装置に第２指示情報を送信することを含むことを特徴とする請求項３７に記載のネットワーク装置。
【請求項３９】
前記物理層シグナリングは、具体的に、前記第１アップリンク伝送の設定パラメータである波形、伝送リソース、変調符号化方式ＭＣＳ及びビームフォーミングのためのパラメータのうちの少なくとも１つを修正することに用いられることを特徴とする請求項３５〜３８のいずれか１項に記載のネットワーク装置。
【請求項４０】
前記第２送信ユニットは、更に、前記物理層シグナリングが具体的に前記第１アップリンク伝送の波形を修正することに用いられる場合、前記端末装置に物理層シグナリングを送信する前に、前記端末装置に高層シグナリングを送信することに用いられ、前記高層シグナリングには前記端末装置のサポートする少なくとも２つの選択可能なアップリンク波形の各選択可能なアップリンク波形に対応する設定パラメータが含まれ、前記少なくとも２つの選択可能な波形は前記第１アップリンク伝送の修正済み波形を含み、
前記物理層シグナリングは前記高層シグナリングに含まれる前記修正済み波形に対応する設定パラメータを含むことを特徴とする請求項３５〜３９のいずれか１項に記載のネットワーク装置。
【請求項４１】
前記第２送信ユニットは、具体的に、前記端末装置のアップリンク伝送波形を変更する必要があると確定したとき、前記端末装置に物理層シグナリングを送信することに用いられることを特徴とする請求項３５〜４０のいずれか１項に記載のネットワーク装置。
【請求項４２】
前記第１アップリンク伝送は物理アップリンク共有チャネルＰＵＳＣＨの伝送、アップリンク参照信号の伝送及び物理アップリンク制御チャネルＰＵＣＣＨの伝送のうちの少なくとも１つを含むことを特徴とする請求項３５〜４１のいずれか１項に記載のネットワーク装置。
【請求項４３】
前記第１アップリンク伝送がＰＵＳＣＨの伝送を含む場合、前記第１指示情報は前記第１アップリンク伝送に対応するアップリンク伝送番号を含み、
前記物理層シグナリングには前記第１アップリンク伝送に対応するアップリンク伝送番号が含まれることを特徴とする請求項３５〜４２のいずれか１項に記載のネットワーク装置。
【請求項４４】
前記物理層シグナリングは更に前記端末装置の第２アップリンク伝送をスケジューリングすることに用いられることを特徴とする請求項３５〜４３のいずれか１項に記載のネットワーク装置。
【発明の詳細な説明】
【技術分野】
【０００１】
本発明の実施例は通信分野に関し、より具体的に、通信方法、端末装置及びネットワーク装置に関する。
【背景技術】
【０００２】
従来の移動通信システムにおいて、基地局が端末装置にアップリンク伝送リソースを割り当てた後、端末装置はアップリンク伝送を完了するために一定の処理時間を必要とする。例えば、ロングタームエボリューション（ＬＴＥ：Ｌｏｎｇ  Ｔｅｒｍ  Ｅｖｏｌｕｔｉｏｎ）システムにおいて、基地局がサブフレームｎにおいて端末装置にアップリンク伝送リソースを割り当てる場合、端末装置はサブフレームｎ＋４において割り当てられたアップリンク伝送リソースを用いてアップリンク伝送を行う。ＬＴＥシステムにおいて、１つのサブフレームの持続時間は１ｍｓであり、それに対応して、端末装置の処理時間は３ｍｓである。
【０００３】
ところが、基地局が端末装置のアップリンク伝送をスケジューリングした後、何かの原因で現在のアップリンクスケジューリングが適切ではないと発見し、例えば、基地局が端末装置のアップリンクスケジューリングを行った後、高優先度のバーストサービスを発見し、且つそれらのバーストサービスが基地局の送信したアップリンクスケジューリングと衝突することを発見する恐れがある。その時、基地局は高優先度のサービスを優先的に処理することになり、もし端末装置が元のアップリンクスケジューリングを続行すれば、パケットロスが発生する恐れがあり、ユーザーエクスペリエンスが比較的に悪い。
【発明の概要】
【発明が解決しようとする課題】
【０００４】
本発明の実施例はアップリンク伝送のパケットロスのリスクを低減し、ユーザーエクスペリエンスを向上させることができる通信方法、端末装置、ネットワーク装置及び無線通信システムを提供する。
【課題を解決するための手段】
【０００５】
第１態様は通信方法を提供し、端末装置はネットワーク装置から送信された第１指示情報を受信し、該第１指示情報は該端末装置の第１アップリンク伝送をスケジューリングすることに用いられることと、該端末装置は該ネットワーク装置から送信された物理層シグナリングを受信し、該物理層シグナリングは該端末装置が該第１アップリンク伝送を停止又は一時停止することを指示することに用いられ、又は該物理層シグナリングは該第１アップリンク伝送の設定パラメータを修正することに用いられることと、該端末装置は該物理層シグナリングに基づいて該第１アップリンク伝送の処理を実行することと、を含む。
【０００６】
該物理層シグナリングは該第１アップリンク伝送のスケジューリングを解除、一時停止又は修正することができる。
【０００７】
第１態様の第１可能な実現方式では、該端末装置が該物理層シグナリングに基づいて該第１アップリンク伝送の処理を実行することは、該物理層シグナリングを受信したときに該端末装置が該第１アップリンク伝送をまだ完了していない場合、該物理層シグナリングに基づいて該第１アップリンク伝送の処理を実行することを含む。
【０００８】
選択肢として、該端末装置が該第１アップリンク伝送をまだ完了していないこととは、該第１アップリンク伝送をまだ開始しておらず、又は既に該第１アップリンク伝送を始めたが、該第１アップリンク伝送に対応するデータ又は情報をまだ送信していないことを意味してもよい。
【０００９】
第１態様の上記可能な実現方式を参照して、第１態様の第２可能な実現方式では、該方法は、更に、該物理層シグナリングを受信したときに該端末装置が該第１アップリンク伝送を既に完了し、該端末装置が該物理層シグナリングを廃棄することを含む。
【００１０】
第１態様の上記可能な実現方式を参照して、第１態様の第３可能な実現方式では、該物理層シグナリングは該端末装置が該第１アップリンク伝送を一時停止することを指示することに用いられ、該端末装置が該物理層シグナリングに基づいて該第１アップリンク伝送の処理を実行した後、該方法は、更に、該端末装置が該ネットワーク装置から送信された第２指示情報を受信し、該第２指示情報は該端末装置が該第１アップリンク伝送を停止又は続行することを指示すること、又は該端末装置が新しい設定パラメータを用いて該第１アップリンク伝送を行うことを指示することに用いられることと、該端末装置が該第２指示情報に基づいて該第１アップリンク伝送の処理を実行することと、を含む。
【００１１】
第１態様の上記可能な実現方式を参照して、第１態様の第４可能な実現方式では、該方法は、更に、該物理層シグナリングが該端末装置の該第１アップリンク伝送を一時停止することを指示することに用いられると確定したとき、該端末装置がタイマーを起動することを含み、該端末装置が該ネットワーク装置から送信された第２指示情報を受信することは、該端末装置が、該タイマーがタイムアウトになる前に該ネットワーク装置から送信された第２指示情報を受信することを含む。
【００１２】
選択肢として、該端末装置は該物理層シグナリングが該端末装置の該第１アップリンク伝送を一時停止することを指示することに用いられると確定した場合、プロトコルに規定された又は該ネットワーク装置に予め設定されたタイマーを起動して、タイマーがタイムアウトになる前に、該ネットワーク装置から送信された指示を検出することができる。
【００１３】
第１態様の上記可能な実現方式を参照して、第１態様の第５可能な実現方式では、該方法は、更に、該タイマーがタイムアウトになる前に、該ネットワーク装置から送信された第２指示情報を受信していない場合、該端末装置が該第１アップリンク伝送を停止することを含む。
【００１４】
第１態様の上記可能な実現方式を参照して、第１態様の第６可能な実現方式では、該物理層シグナリングは、具体的に、該第１アップリンク伝送の設定パラメータである波形、伝送リソース、ＭＣＳ及びビームフォーミングのためのパラメータのうちの少なくとも１つを修正することに用いられる。
【００１５】
第１態様の上記可能な実現方式を参照して、第１態様の第７可能な実現方式では、該端末装置が該ネットワーク装置から送信された物理層シグナリングを受信する前に、該方法は、更に、該物理層シグナリングが具体的に該第１アップリンク伝送の波形を修正することに用いられる場合、該端末装置が該ネットワーク装置から送信された高層シグナリングを受信することを含み、該高層シグナリングには該端末装置のサポートする少なくとも２つの選択可能なアップリンク波形の各選択可能なアップリンク波形に対応する設定パラメータが含まれ、該少なくとも２つの選択可能なアップリンク波形は該第１アップリンク伝送の修正済み波形を含み、該物理層シグナリングは該高層シグナリングに含まれる該修正済み波形に対応する設定パラメータを含み、該端末装置が該ネットワーク装置から送信された物理層シグナリングを受信した後、該方法は、更に、該端末装置が該物理層シグナリングに含まれる設定パラメータに基づいて該修正済み波形を用いて該第１アップリンク伝送を行うと確定することを含む。
【００１６】
第１態様の上記可能な実現方式を参照して、第１態様の第８可能な実現方式では、該端末装置が該ネットワーク装置から送信された物理層シグナリングを受信することは、該端末装置は該ネットワーク装置が該端末装置のアップリンク伝送波形を変更する必要があると確定したとき、送信した物理層シグナリングを受信することを含む。
【００１７】
第１態様の上記可能な実現方式を参照して、第１態様の第９可能な実現方式では、該第１アップリンク伝送はＰＵＳＣＨの伝送、アップリンク参照信号の伝送及びＰＵＣＣＨの伝送のうちの少なくとも１つを含む。
【００１８】
第１態様の上記可能な実現方式を参照して、第１態様の第１０可能な実現方式では、該第１アップリンク伝送がＰＵＳＣＨの伝送を含む場合、該第１指示情報は該第１アップリンク伝送に対応するアップリンク伝送番号を含み、該物理層シグナリングには該第１アップリンク伝送に対応するアップリンク伝送番号が含まれ、該端末装置が該ネットワーク装置から送信された物理層シグナリングを受信した後、該方法は、更に、該端末装置が該物理層シグナリングに含まれるアップリンク伝送番号に基づいて該物理層シグナリングに対応する該第１アップリンク伝送を確定することを含む。
【００１９】
第１態様の上記可能な実現方式を参照して、第１態様の第１１可能な実現方式では、該物理層シグナリングは更に該端末装置の第２アップリンク伝送をスケジューリングすることに用いられ、該方法は、更に、該物理層シグナリングに基づいて該第２アップリンク伝送を行うことを含む。
【００２０】
第２態様は他の通信方法を提供し、ネットワーク装置は端末装置に第１指示情報を送信し、該第１指示情報は該端末装置の第１アップリンク伝送をスケジューリングすることに用いられることと、該ネットワーク装置は該端末装置に物理層シグナリングを送信し、該物理層シグナリングは該端末装置が該第１アップリンク伝送を停止又は一時停止することを指示することに用いられ、又は該物理層シグナリングは該第１アップリンク伝送の設定パラメータを修正することに用いられることと、を含む。
【００２１】
第２態様の第１可能な実現方式では、該ネットワーク装置が該端末装置に物理層シグナリングを送信した後、該方法は、更に、該ネットワーク装置が該第１指示情報によってスケジューリングされた伝送リソースにおいて検出を行うことと、該伝送リソースにおいてアップリンク伝送を検出した場合、検出されたアップリンク伝送に対して復調処理を行うことと、を含む。
【００２２】
第２態様の上記可能な実現方式を参照して、第２態様の第２可能な実現方式では、該物理層シグナリングは該端末装置が該第１アップリンク伝送を一時停止することを指示することに用いられ、該ネットワーク装置が該端末装置に物理層シグナリングを送信した後、該方法は、更に、該ネットワーク装置が該端末装置に第２指示情報を送信し、該第２指示情報は該端末装置が該第１アップリンク伝送を停止又は続行することを指示すること、又は該端末装置が修正済み設定パラメータを用いて該第１アップリンク伝送を行うことを指示することに用いられることを含む。
【００２３】
第２態様の上記可能な実現方式を参照して、第２態様の第３可能な実現方式では、該ネットワーク装置が該端末装置に第２指示情報を送信する前に、該方法は、更に、該ネットワーク装置が該端末装置に第３指示情報を送信し、該第３指示情報は該端末装置のアップリンク伝送の一時停止のためにタイマーを設定することに用いられることを含み、該ネットワーク装置が該端末装置に第２指示情報を送信することは、該タイマーがタイムアウトになる前に、該ネットワーク装置が該端末装置に第２指示情報を送信することを含む。
【００２４】
第２態様の上記可能な実現方式を参照して、第２態様の第４可能な実現方式では、該物理層シグナリングは、具体的に、該第１アップリンク伝送の設定パラメータである波形、伝送リソース、ＭＣＳ及びビームフォーミングのためのパラメータのうちの少なくとも１つを修正することに用いられる。
【００２５】
第２態様の上記可能な実現方式を参照して、第２態様の第５可能な実現方式では、該ネットワーク装置が該端末装置に物理層シグナリングを送信する前に、該方法は、更に、該物理層シグナリングが具体的に該第１アップリンク伝送の波形を修正することに用いられる場合、該ネットワーク装置が該端末装置に高層シグナリングを送信することを含み、該高層シグナリングには該端末装置のサポートする少なくとも２つの選択可能なアップリンク波形の各選択可能なアップリンク波形に対応する設定パラメータが含まれ、該少なくとも２つの選択可能な波形は該第１アップリンク伝送の修正済み波形を含み、該物理層シグナリングが該高層シグナリングに含まれる該修正済み波形に対応する設定パラメータを含む。
【００２６】
第２態様の上記可能な実現方式を参照して、第２態様の第６可能な実現方式では、該ネットワーク装置が該端末装置に物理層シグナリングを送信することは、該端末装置のアップリンク伝送波形を変更する必要があると確定したとき、該ネットワーク装置が該端末装置に物理層シグナリングを送信することを含む。
【００２７】
選択肢として、該ネットワーク装置が該端末装置に物理層シグナリングを送信する前に、該方法は、更に、該ネットワーク装置が該端末装置から送信されたアップリンク参照信号を測定することと、該測定結果に基づいて該端末装置のアップリンク伝送波形を確定することと、を含む。
【００２８】
この時、選択肢として、該ネットワーク装置が該端末装置に物理層シグナリングを送信することは、確定されたアップリンク伝送波形が該端末装置の現在のアップリンク伝送波形と異なる場合、該ネットワーク装置が該端末装置に物理層シグナリングを送信することを含む。
【００２９】
第２態様の上記可能な実現方式を参照して、第２態様の第７可能な実現方式では、該第１アップリンク伝送はＰＵＳＣＨの伝送、アップリンク参照信号の伝送及びＰＵＣＣＨの伝送のうちの少なくとも１つを含む。
【００３０】
第２態様の上記可能な実現方式を参照して、第２態様の第８可能な実現方式では、該第１アップリンク伝送がＰＵＳＣＨの伝送を含む場合、該第１指示情報は該第１アップリンク伝送に対応するアップリンク伝送番号を含み、該物理層シグナリングには該第１アップリンク伝送に対応するアップリンク伝送番号が含まれる。
【００３１】
第２態様の上記可能な実現方式を参照して、第２態様の第９可能な実現方式では、該物理層シグナリングは更に該端末装置の第２アップリンク伝送をスケジューリングすることに用いられる。
【００３２】
第３態様は端末装置を提供し、上記第１態様又は第１態様の任意の可能な実現方式における方法を実行することに用いられる。
【００３３】
具体的に、該端末装置は上記第１態様又は第１態様の任意の可能な実現方式における方法を実行するためのユニットを含む。
【００３４】
第４態様はネットワーク装置を提供し、上記第２態様又は第２態様の任意の可能な実現方式における方法を実行することに用いられる。
【００３５】
具体的に、該ネットワーク装置は上記第２態様又は第２態様の任意の可能な実現方式における方法を実行するためのユニットを含む。
【００３６】
第５態様は他の端末装置を提供し、命令を記憶するための記憶ユニットと、該メモリに記憶される命令を実行するためのプロセッサと、を備え、且つ該プロセッサが該メモリに記憶される命令を実行するとき、該実行によって該プロセッサが第１態様又は第１態様の任意の可能な実現方式における方法を実行する。
【００３７】
第６態様は他のネットワーク装置を提供し、命令を記憶するための記憶ユニットと、該メモリに記憶される命令を実行するためのプロセッサと、を備え、且つ該プロセッサが該メモリに記憶される命令を実行するとき、該実行によって該プロセッサが第２態様又は第２態様の任意の可能な実現方式における方法を実行する。
【００３８】
第７態様はコンピュータ可読媒体を提供し、コンピュータプログラムを記憶することに用いられ、該コンピュータプログラムは第１態様又は第１態様の任意の可能な実現方式における方法を実行するための命令を含む。
【００３９】
第８態様はコンピュータ可読媒体を提供し、コンピュータプログラムを記憶することに用いられ、該コンピュータプログラムは第２態様又は第２態様の任意の可能な実現方式における方法を実行するための命令を含む。
【発明の効果】
【００４０】
上記技術案に基づき、本発明の実施例に係る通信方法、端末装置及びネットワーク装置では、ネットワーク装置が第１アップリンク伝送をスケジューリングするための第１指示情報を端末装置に送信した後、該端末装置の該第１アップリンク伝送を停止又は一時停止することを指示し、又は該第１アップリンク伝送の設定パラメータを修正するための物理層シグナリングを端末装置に送信することにより、該端末装置が該物理層シグナリングに基づいて該第１アップリンク伝送の処理を行い、このように、ネットワーク装置は元のスケジューリングが適切ではないと発見し、例えば高優先度のバーストサービスがあり、端末装置のアップリンク伝送の波形を変更する必要があると確定したなどの場合、元のスケジューリングを直ちに調整し、パケットロスのリスクを低減することにより、ユーザーエクスペリエンスを向上させることができる。
【図面の簡単な説明】
【００４１】
【図１】図１は本発明の実施例における無線通信システムの模式図である。
【図２】図２は本発明の実施例に係る通信方法の模式的なフローチャートである。
【図３】図３は本発明の実施例に係る端末装置の模式的なブロック図である。
【図４】図４は本発明の実施例に係るネットワーク装置の模式的なブロック図である。
【図５】図５は本発明の実施例に係る他の端末装置の模式的なブロック図である。
【図６】図６は本発明の実施例に係る他のネットワーク装置の模式的なブロック図である。
【発明を実施するための形態】
【００４２】
以下、本発明の実施例の図面を参照しながら、本発明の実施例の技術案を説明する。
【００４３】
本発明の実施例の技術案は様々な通信システム、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称）、ロングタームエボリューション（Ｌｏｎｇ  Ｔｅｒｍ  Ｅｖｏｌｕｔｉｏｎ、「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称）システム、ＬＴＥ時分割複信（Ｔｉｍｅ  Ｄｉｖｉｓｉｏｎ  Ｄｕｐｌｅｘ、「ＴＤＤ」と略称）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）、マイクロ波利用アクセスに関する世界的な相互運用（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システム又は将来の５Ｇシステム等に適用されてもよい。
【００４４】
図１に本発明の実施例における無線通信システム１００を示す。該無線通信システム１００はネットワーク装置１１０を備えてもよい。ネットワーク装置１００は端末装置と通信する装置であってもよい。ネットワーク装置１００は特定の地理区域に通信カバレッジを提供することができ、且つ該カバレッジエリア内の端末装置（例えばＵＥ）と通信することができる。選択肢として、該ネットワーク装置１００はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、更にＬＴＥシステムにおける発展型基地局（ｅＮＢ又はｅＮｏｄｅＢ：Ｅｖｏｌｕｔｉｏｎａｌ  Ｎｏｄｅ  Ｂ）、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は、該ネットワーク装置は中継所、アクセスポイント、車載装置、ウェアラブル端末、将来の５Ｇネットワークにおけるネットワーク側装置又は将来発展する地上波公共移動通信ネットワーク（ＰＬＭＮ：Ｐｕｂｌｉｃ  Ｌａｎｄ  Ｍｏｂｉｌｅ  Ｎｅｔｗｏｒｋ）におけるネットワーク装置等であってもよい。
【００４５】
該無線通信システム１００は更にネットワーク装置１１０のカバレッジ範囲内の少なくとも１つの端末装置１２０を備える。端末装置１２０は可動又は固定であってもよい。選択肢として、端末装置１２０はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００４６】
図１に１つのネットワーク装置及び２つの端末装置を例示的に示し、選択肢として、該無線通信システム１００は複数のネットワーク装置を備えてもよく、且つ、各ネットワーク装置のカバレッジ範囲内に他の数の端末装置が含まれてもよく、本発明の実施例は限定しない。
【００４７】
選択肢として、該無線通信システム１００は更にネットワーク制御装置、モビリティ管理エンティティ等の他のネットワークエンティティを備えてもよく、本発明の実施例は限定しない。
【００４８】
本明細書において、用語「システム」と「ネットワーク」はよく互いに代替して使用されると理解すべきである。本明細書における用語「及び／又は」は、関連オブジェクトを説明する関連関係に過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における記号「／」は一般的に前後関連オブジェクトが「又は」関係であることを示す。
【００４９】
図２は本発明の実施例の通信方法２００の模式的なフローチャートである。
【００５０】
Ｓ２１０では、ネットワーク装置は端末装置に第１指示情報を送信し、該第１指示情報は端末装置の第１アップリンク伝送をスケジューリングすることに用いられる。
【００５１】
好適な一実施例として、該第１アップリンク伝送は物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）の伝送、例えば、アップリンクデータの伝送を含んでもよい。この時、ネットワーク装置は自発的に該端末装置に第１指示情報を送信してもよいし、該端末装置からのスケジューリング要求を受信したときに該端末装置に第１指示情報を送信してもよく、例えば、該第１指示情報は具体的にアップリンクスケジューリンググラント（ＵＬ  ｇｒａｎｔ）であってもよく、該アップリンクスケジューリンググラントは端末装置のアップリンクデータの伝送をスケジューリングすることに用いられる。選択肢として、該第１指示情報は該第１アップリンク伝送のハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）プロセス番号を含んでもよく、又は、該ネットワーク装置は該第１指示情報にＨＡＲＱプロセス番号と異なる他の識別子を導入してアップリンクスケジューリングをマークアップしてもよく、例えば、該第１指示情報は該第１アップリンク伝送のアップリンク（ＵＬ：Ｕｐｌｉｎｋ）プロセス番号を含み、該アップリンクプロセス番号は該第１アップリンク伝送の再伝送、解除、一時停止及び／又は設定修正等に用いられてもよく、本発明の実施例は限定しない。
【００５２】
他の選択可能な実施例として、該第１アップリンク伝送は更にアップリンク参照信号の伝送、例えばサウンディング参照信号（ＳＲＳ：Ｓｏｕｎｄｉｎｇ  Ｒｅｆｅｒｅｎｃｅ  Ｓｉｇｎａｌ）の伝送を含んでもよい。この時、該第１指示情報は具体的に高層シグナリング又はダウンリンク制御情報（ＤＣＩ：Ｄｏｗｎｌｉｎｋ  Ｃｏｎｔｒｏｌ  Ｉｎｆｏｒｍａｔｉｏｎ）であってもよく、本発明の実施例は限定しない。
【００５３】
他の選択可能な実施例として、該第１アップリンク伝送は更に物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）の伝送、例えば肯定応答／否定応答（Ａ／Ｎ：Ａｃｋｎｏｗｌｅｄｇｅｍｅｎｔ／Ｎｏｎ−Ａｃｋｎｏｗｌｅｄｇｅｍｅｎｔ）又はチャネル品質指示子（ＣＱＩ：Ｃｈａｎｎｅｌ  Ｑｕａｌｉｔｙ  Ｉｎｄｉｃａｔｏｒ）等の伝送を含んでもよい。この時、該第１指示情報は該第１アップリンク伝送を明示的又は暗示的にスケジューリングすることができる。例えば、該第１指示情報はダウンリンクデータを含んでもよく、つまり該ネットワーク装置は端末装置にダウンリンクデータを送信することができ、該端末装置はプリセットプロトコルに従って該ダウンリンクデータの受信に成功したかどうかをネットワーク装置にフィードバックすることができ、この時、該ダウンリンクデータの送信によって該端末装置のＡ／Ｎ伝送をスケジューリングし、又は、該第１指示情報はダウンリンク参照信号を含んでもよく、つまり該ネットワーク装置は端末装置にダウンリンク参照信号を送信することができ、該端末装置はプリセットプロトコルに従ってネットワーク装置に該ダウンリンク参照信号の測定結果をフィードバックすることができ、この時、該ダウンリンク参照信号の送信によって該端末装置のＣＱＩ等の伝送をスケジューリングする。
【００５４】
他の選択可能な実施例として、該第１アップリンク伝送は更に上記ＰＵＳＣＨ、アップリンク参照信号及びＰＵＣＣＨの任意の組み合わせを含んでもよく、本発明の実施例は限定しない。
【００５５】
以上はいくつかの例を挙げたが、本発明の実施例はネットワーク装置が第１指示情報によって端末装置のアップリンク伝送をスケジューリングする方式を限定しないと理解すべきである。
【００５６】
該端末装置は該第１指示情報を受信した後、プリセット又はデフォルトの規則又は設定を用いてアップリンク伝送を行うことができ、又は、該第１指示情報は更に該第１アップリンク伝送の設定を指示ことに用いられてもよく、それに対応して、該端末装置は該第１指示情報の設定に基づいて第１アップリンク伝送を行うことができる。選択肢として、該設定は時間周波数リソース、コードリソース等を含む該第１アップリンク伝送のために用いる伝送リソースを含んでもよく、又は該第１アップリンク伝送のために用いる波形（ｗａｖｅｆｏｒｍ）、例えば直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）又は離散フーリエ変換拡散ＯＦＤＭ（ＤＦＴ−ｓ−ＯＦＤＭ：Ｄｉｓｃｒｅｔｅ  Ｆｏｕｒｉｅｒ  Ｔｒａｎｓｆｏｒｍ−ｓｐｒｅａｄｉｎｇ−ＯＦＤＭ）を含んでもよく、又は該第１アップリンク伝送の変調符号化方式（ＭＣＳ：Ｍｏｄｕｌａｔｉｏｎ  ａｎｄ  Ｃｏｄｉｎｇ  Ｓｃｈｅｍｅ）等の伝送パラメータを含んでもよく、該第１アップリンク伝送がビームフォーミングを用いる場合、該第１指示情報は更にビームフォーミングのためのパラメータを含んでもよく、又は、該第１指示情報は上記パラメータの任意の組み合わせを含んでもよく、本発明の実施例は限定しない。
【００５７】
以上はいくつかの例を挙げたが、本発明の実施例は該第１指示情報に含まれる設定パラメータの具体的なタイプを限定しないと理解すべきである。
【００５８】
Ｓ２２０では、ネットワーク装置が端末装置に物理層シグナリングを送信し、該物理層シグナリングは該端末装置が該第１アップリンク伝送を停止又は一時停止することを指示することに用いられ、又は該物理層シグナリングは該第１アップリンク伝送の設定パラメータを修正することに用いられる。
【００５９】
具体的に、該ネットワーク装置は高優先度のサービスが該第１アップリンク伝送と衝突すると発見したとき、該端末装置に物理層シグナリングを送信することができる。又は、該端末装置が少なくとも２つの波形でアップリンク伝送を行うことをサポートし、例えば、端末装置がＯＦＤＭ及びＤＦＴ−ｓ−ＯＦＤＭに基づくアップリンク伝送をサポートする場合、該ネットワーク装置は該端末装置のアップリンク伝送波形を変更する必要があると確定したとき、該端末装置に該物理層シグナリングを送信することができる。該ネットワーク装置は該端末装置のアップリンク伝送信号の波形を周期的又は触発的に確定することができ、例えば、該ネットワーク装置は該端末装置から送信されたアップリンク参照信号を測定して、測定結果に基づいて少なくとも２つの選択可能なアップリンク波形から該端末装置のターゲットアップリンク伝送波形を確定することができる。選択可能な一例として、該測定結果は該端末装置が現在セルエッジ領域に位置すると示し、例えば、該測定結果は該アップリンク参照信号の信号受信強度又は品質がプリセット閾値より低く又は該アップリンク参照信号の経路損失がプリセット閾値より高いと示した場合、該ネットワーク装置は該端末装置のターゲットアップリンク伝送波形がＤＦＴ−ｓ−ＯＦＤＭであると確定することができ、該測定結果は該端末装置が現在セル中心領域に位置すると示し、例えば、該測定結果は該アップリンク参照信号の信号受信強度又は品質がプリセット閾値より高く又は該アップリンク参照信号の経路損失がプリセット閾値より低いと示した場合、該ネットワーク装置は該端末装置のターゲットアップリンク伝送波形がＯＦＤＭであると確定することができる。選択肢として、確定されたターゲットアップリンク伝送波形が該端末装置の現在のアップリンク伝送波形と異なる場合、該ネットワーク装置は該端末装置のアップリンク伝送波形を変更して、該端末装置に物理層シグナリングを送信する必要があると確定することができ、又は、該ネットワーク装置は端末装置から送信された波形変更要求を受信したとき、該端末装置に該物理層シグナリングを送信することができる。又は、該ネットワーク装置は該第１アップリンク伝送の現在の設定が適切ではないと確定した他のシーンにおいて、該端末装置に該物理層シグナリングを送信することができ、本発明の実施例は該ネットワーク装置が該物理層シグナリングを送信するトリガー条件を限定しない。
【００６０】
該ネットワーク装置は該端末装置に該物理層シグナリングを送信することにより、該第１アップリンク伝送のスケジューリングを解除又は一時停止し、又は該第１アップリンク伝送の元の設定を修正することができる。選択肢として、該物理層シグナリングは具体的にＤＣＩ又は他の形式であってもよいが、本発明の実施例はこれに限らない。
【００６１】
選択可能な一実施例として、該物理層シグナリングが該第１アップリンク伝送の元の設定を修正することに用いられる場合、該物理層シグナリングは更に該第１アップリンク伝送の修正済み設定を指示することに用いられてもよい。選択肢として、該物理層シグナリングに該第１アップリンク伝送の修正済み設定パラメータ、例えば修正済み波形、修正済みＭＣＳ、修正済み伝送リソース、又は修正済みのビームフォーミングのためのパラメータ、又は修正済みの上記パラメータの任意の組み合わせが含まれてもよく、本発明の実施例はこれを限定しない。
【００６２】
他の選択可能な実施例として、該第１指示情報が該端末装置のＰＵＳＣＨの伝送をスケジューリングすることに用いられ、且つ該第１指示情報が該ＰＵＳＣＨのＨＡＲＱプロセス番号を含む場合、該物理層シグナリングには更に該ＰＵＳＣＨのＨＡＲＱプロセス番号が含まれてもよく、又は、該第１指示情報が該第１アップリンク伝送を識別するためのＵＬプロセス番号を含む場合、該物理層シグナリングには該ＰＵＳＣＨのＵＬプロセス番号が含まれてもよく、本発明の実施例は限定しない。
【００６３】
他の選択可能な実施例として、該物理層シグナリングが該端末装置が該第１アップリンク伝送を一時停止することを指示ことに用いられる場合、該物理層シグナリングは更に端末装置のためにタイマーを設定することに用いられることができ、該タイマーは該端末装置が該ネットワーク装置から送信された、該第１アップリンク伝送についての更なる指示を検出することに用いられるが、本発明の実施例はこれに限らない。
【００６４】
他の選択可能な実施例として、該物理層シグナリングは該端末装置が該第１アップリンク伝送の設定パラメータを修正することを暗示的に指示することができる。例えば、該物理層シグナリングが具体的に該第１アップリンク伝送の波形を修正することに用いられる場合、該ネットワーク装置はＳ２１０の前に端末装置に高層シグナリング、例えば無線リソース制御（ＲＲＣ：Ｒａｄｉｏ  Ｒｅｓｏｕｒｃｅ  Ｃｏｎｔｒｏｌ）シグナリングを送信することができ、該高層シグナリングには該端末装置のサポートする少なくとも２つの選択可能なアップリンク波形の各選択可能なアップリンク波形に対応する設定パラメータが含まれ、該少なくとも２つの選択可能なアップリンク波形は該第１アップリンク伝送の修正済み波形を含む。例えば、該ネットワーク装置は伝送リソース、チャネルパラメータ等を含む、該少なくとも２つの選択可能なアップリンク波形の各選択可能なアップリンク波形に基づくアップリンク伝送パラメータを設定することができる。この時、該ネットワーク装置は該物理層シグナリングに該修正済み波形に対応する設定パラメータを含める、又は該修正済み波形に対応する設定パラメータを指示することができ、それに対応して、該端末装置は該物理層シグナリングに含める、又は該物理層シグナリングに指示される設定パラメータに基づいて、該修正済み波形を用いて該第１アップリンク伝送を行うと確定することができるが、本発明の実施例はこれに限らない。
【００６５】
他の選択可能な実施例として、該物理層シグナリングは更に新しいスケジューリングに用いられてもよく、例えば、該物理層シグナリングは更に該端末装置の第２アップリンク伝送をスケジューリングすることに用いられ、このように、該端末装置は該物理層シグナリングに基づいて該第２アップリンク伝送を行うことができるが、本発明の実施例はこれに限らない。
【００６６】
Ｓ２３０では、該端末装置は該物理層シグナリングを受信した後、該物理層シグナリングに基づいて該第１アップリンク伝送の処理を行うことができる。
【００６７】
選択可能な一実施例として、該端末装置は該物理層シグナリングの指示に従って該第１アップリンク伝送を停止又は一時停止し、又は該物理層シグナリングに指示された設定に従って該第１アップリンク伝送を行うことができる。例えば、該物理層シグナリングを受信したときに該端末装置が該第１アップリンク伝送を完了しておらず、つまり該端末装置が該第１アップリンク伝送に対応するＰＵＳＣＨ、アップリンク参照信号又はＰＵＣＣＨをまだ送信していない場合、該端末装置は該物理層シグナリングの指示に従って第１指示情報のスケジューリング処理を実行することができる。
【００６８】
具体的に、該物理層シグナリングが該第１アップリンク伝送のスケジューリングを解除することに用いられる場合、該端末装置は該物理層シグナリングの指示に従って該第１アップリンク伝送を停止し、例えば該第１アップリンク伝送に対応するキャッシュを解放してもよく、且つ、選択肢として該第１アップリンク伝送に対応するアップリンクデータ又は情報を廃棄してもよい。又は、該物理層シグナリングが該第１アップリンク伝送のスケジューリングを一時停止することに用いられる場合、該端末装置は該物理層シグナリングの指示に従って該第１アップリンク伝送を一時停止し、例えば、該第１アップリンク伝送に対応するＰＵＳＣＨ、アップリンク参照信号又はＰＵＣＣＨの処理を一時停止してもよく、且つ、対応するキャッシュを解放しなくてもよい。又は、該物理層シグナリングが該第１アップリンク伝送の設定を修正することに用いられる場合、該端末装置は該物理層シグナリングの指示に従って修正済み設定を用いて該第１アップリンク伝送を行ってもよく、本発明の実施例はこれを限定しない。
【００６９】
選択肢として、該物理層シグナリングは該端末装置が該第１アップリンク伝送を一時停止することを指示することに用いられる場合、該端末装置は更に、該物理層シグナリングを受信したとき、タイマーを起動することができ、該タイマーはプロトコルに規定されたもの、又はネットワーク装置が高層シグナリングによって予め設定したもの、又は該ネットワーク装置が該物理層シグナリングによって設定したものであってもよく、本発明の実施例はこれを限定しない。選択肢として、該タイマーがタイムアウトになる前に該端末装置が該ネットワーク装置の更なる指示を受信し、例えば該ネットワーク装置から送信された、具体的に該端末装置の該第１アップリンク伝送を続行することを指示すること、又は該端末装置の該第１アップリンク伝送を停止することを指示すること、又は該端末装置の修正済み設定を用いて該第１アップリンク伝送を実行することを指示する第２指示情報を受信した場合、該端末装置は該第２指示情報に基づいて該第１アップリンク伝送の処理を実行することができる。選択肢として、該タイマーがタイムアウトになるとき、該端末装置が該ネットワーク装置の更なる指示を受信していない場合、該第１アップリンク伝送を停止してもよいが、本発明の実施例はこれに限らない。
【００７０】
他の選択可能な実施例として、該物理層シグナリングを受信したときに端末装置が既に該第１アップリンク伝送を完了し、つまり該第１アップリンク伝送に対応するデータ又は情報を既に送信した場合、該端末装置は該物理層シグナリングを無視し、つまり該物理層シグナリングを廃棄してもよいが、本発明の実施例はこれに限らない。
【００７１】
他の選択可能な実施例として、該物理層シグナリングにＨＡＲＱプロセス番号又はアップリンクスケジューリングを識別するための他の情報が含まれた場合、該端末装置は該ＨＡＲＱプロセス番号又は他の識別情報に基づいて該物理層シグナリングに対応するアップリンクスケジューリングを探すことができる。選択肢として、該端末装置が該物理層シグナリングに対応するアップリンクスケジューリングを見つかった場合、該端末装置は該物理層シグナリングの指示に従って該対応するアップリンクスケジューリングの処理を実行することができる。選択肢として、該端末装置が該物理層シグナリングに対応するアップリンクスケジューリングを見つからない場合、例えば、該端末装置が上記第１指示情報を受信していない場合、該端末装置は該物理層シグナリングを無視してもよいが、本発明の実施例はこれに限らない。
【００７２】
選択肢として、Ｓ２２０の後で、該ネットワーク装置は該第１指示情報によってスケジューリングされた伝送リソースにおいて引き続き検出を行い、つまり該第１アップリンク伝送の初期伝送リソースにおいて検出を行うことができる。該ネットワーク装置がアップリンク伝送を検出した場合、検出されたアップリンク伝送に対して復調処理を行うことができる。復号に成功した場合、ネットワーク装置は該第１アップリンク伝送に対応するデータ又は情報を正しく受信したと確定し、つまり該第１アップリンク伝送が既に完了したと見なされてもよいが、本発明の実施例はこれに限らない。
【００７３】
従って、本発明の実施例に係る通信方法によれば、ネットワーク装置は第１アップリンク伝送をスケジューリングするための第１指示情報を端末装置に送信した後、該端末装置の該第１アップリンク伝送を停止又は一時停止することを指示し、又は該第１アップリンク伝送の設定パラメータを修正するための物理層シグナリングを端末装置に送信することにより、該端末装置は該物理層シグナリングに基づいて該第１アップリンク伝送の処理を行い、このように、ネットワーク装置は元のスケジューリングが適切ではないと発見し、例えば高優先度のバーストサービスがあり、端末装置のアップリンク伝送の波形を変更する必要があると確定したなどの場合、元のスケジューリングを直ちに調整し、パケットロスのリスクを低減することにより、ユーザーエクスペリエンスを向上させることができる。
【００７４】
上記各過程の番号の順位は実行順序の前後を意味せず、各過程の実行順序はその機能及び内部論理によって確定すべきであり、本発明の実施例の実施過程に対して如何なる限定もしないと理解すべきである。
【００７５】
図３に本発明の実施例に係る端末装置３００を模式的に示す。該端末装置３００は、
ネットワーク装置から送信された第１指示情報を受信し、該第１指示情報は該端末装置の第１アップリンク伝送をスケジューリングし、該ネットワーク装置から送信された物理層シグナリングを受信することに用いられ、該物理層シグナリングは該端末装置が該第１アップリンク伝送を停止又は一時停止することを指示することに用いられ、又は、該物理層シグナリングは該第１アップリンク伝送の設定パラメータを修正することに用いられる受信ユニット３１０と、
該受信ユニット３１０の受信した該物理層シグナリングに基づいて該第１アップリンク伝送の処理を実行するための処理ユニット３２０と、を含む。
【００７６】
選択肢として、該処理ユニット３２０は、具体的に、該受信ユニット３１０が該物理層シグナリングを受信したときに該第１アップリンク伝送がまだ完了していない場合、該物理層シグナリングに基づいて該第１アップリンク伝送の処理を実行することに用いられる。
【００７７】
選択肢として、該処理ユニット３２０は、更に、該受信ユニット３１０が該物理層シグナリングを受信したとき、該第１アップリンク伝送が既に完了した場合、該物理層シグナリングを廃棄することに用いられる。
【００７８】
選択肢として、該物理層シグナリングは該端末装置が該第１アップリンク伝送を一時停止することを指示することに用いられる。この時、該受信ユニット３１０は、更に、該処理ユニット３２０が該受信ユニット３１０の受信した該物理層シグナリングに基づいて該第１アップリンク伝送の処理を実行した後、該ネットワーク装置から送信された第２指示情報を受信することに用いられ、該第２指示情報は該端末装置が該第１アップリンク伝送を停止又は続行することを指示すること、又は該端末装置が新しい設定パラメータを用いて該第１アップリンク伝送を行うことを指示することに用いられ、それに対応して、該処理ユニット３２０は、更に、該受信ユニット３１０の受信した該第２指示情報に基づいて該第１アップリンク伝送の処理を実行することに用いられる。
【００７９】
選択肢として、該処理ユニット３２０は、更に、該物理層シグナリングが該端末装置の該第１アップリンク伝送を一時停止することを指示することに用いられると確定したとき、タイマーを起動することに用いられ、それに対応して、該受信ユニット３１０は、具体的に、該処理ユニット３２０の起動した該タイマーがタイムアウトになる前に該ネットワーク装置から送信された第２指示情報を受信することに用いられる。
【００８０】
選択肢として、該処理ユニット３２０は、更に、該タイマーがタイムアウトになる前に該ネットワーク装置から送信された第２指示情報を受信していない場合、該第１アップリンク伝送を停止することに用いられる。
【００８１】
選択肢として、該物理層シグナリングは、具体的に、該第１アップリンク伝送の設定パラメータである波形、伝送リソース、変調符号化方式ＭＣＳ及びビームフォーミングのためのパラメータのうちの少なくとも１つを修正することに用いられる。
【００８２】
選択肢として、該受信ユニット３１０は、更に、該物理層シグナリングが具体的に該第１アップリンク伝送の波形を修正することに用いられる場合、該ネットワーク装置から送信された物理層シグナリングを受信する前に、該ネットワーク装置から送信された高層シグナリングを受信することに用いられ、該高層シグナリングには該端末装置のサポートする少なくとも２つの選択可能なアップリンク波形の各選択可能なアップリンク波形に対応する設定パラメータが含まれ、該少なくとも２つの選択可能なアップリンク波形は該第１アップリンク伝送の修正済み波形を含む。
【００８３】
この時、選択肢として、該物理層シグナリングは該高層シグナリングに含まれた該修正済み波形に対応する設定パラメータを含み、それに対応して、該処理ユニット３２０は、具体的に、更に、該受信ユニット３１０の受信した該物理層シグナリングに含まれる設定パラメータに基づいて該修正済み波形を用いて該第１アップリンク伝送を行うと確定することに用いられる。
【００８４】
選択肢として、該受信ユニット３１０は、具体的に、該端末装置のアップリンク伝送波形を変更する必要があると確定したときに該ネットワーク装置から送信された物理層シグナリングを受信することに用いられる。
【００８５】
選択肢として、該第１アップリンク伝送は物理アップリンク共有チャネルＰＵＳＣＨの伝送、アップリンク参照信号の伝送及び物理アップリンク制御チャネルＰＵＣＣＨの伝送のうちの少なくとも１つを含む。
【００８６】
選択肢として、該第１アップリンク伝送はＰＵＳＣＨの伝送を含む場合、該第１指示情報は該第１アップリンク伝送に対応するアップリンク伝送番号を含む。
【００８７】
この時、選択肢として、該物理層シグナリングには該第１アップリンク伝送に対応するアップリンク伝送番号が含まれ、それに対応して、該処理ユニット３２０は、更に、該受信ユニット３１０の受信した該物理層シグナリングに含まれるアップリンク伝送番号に基づいて、該物理層シグナリングに対応する該第１アップリンク伝送を確定することに用いられる。
【００８８】
選択肢として、該物理層シグナリングは更に該端末装置の第２アップリンク伝送をスケジューリングすることに用いられ、それに対応して、該処理ユニット３２０は更に該物理層シグナリングに基づいて該第２アップリンク伝送を行うことに用いられる。
【００８９】
ここで、端末装置３００は機能ユニットの形式で具現されると理解すべきである。ここで、用語「ユニット」は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、１つ又は複数のソフトウェア又はファームウェアプログラムを実行するためのプロセッサ（例えば、共有プロセッサ、専用プロセッサ又はグループプロセッサ等）及びメモリ、併合化論理回路及び／又は上述の機能をサポートする他の適切なコンポーネントを指してもよい。選択可能な一例では、当業者であれば、端末装置３００は具体的に上記方法実施例における端末装置であってもよく、端末装置３００は上記方法実施例における、端末装置に対応する各プロセス及び／又はステップを実行することに用いられてもよいと理解でき、重複を避けるために詳細な説明は省略する。
【００９０】
図４に本発明の実施例に係るネットワーク装置４００を模式的に示す。該ネットワーク装置４００は、
端末装置に第１指示情報を送信し、該第１指示情報は該端末装置の第１アップリンク伝送をスケジューリングすることに用いられる第１送信ユニット４１０と、
該端末装置に物理層シグナリングを送信し、該物理層シグナリングは端末装置が該第１アップリンク伝送を停止又は一時停止することを指示すること、又は該第１アップリンク伝送の設定パラメータを修正することに用いられる第２送信ユニット４２０と、を含む。
【００９１】
選択肢として、該ネットワーク装置４００は、更に、
該第２送信ユニット４２０が該端末装置に物理層シグナリングを送信した後、該第１指示情報によってスケジューリングされた伝送リソースにおいて検出を行うための検出ユニットと、
該検出ユニットが該伝送リソースにおいてアップリンク伝送を検出した場合、検出されたアップリンク伝送に対して復調処理を行うための処理ユニットと、を含む。
【００９２】
選択肢として、該処理ユニットは、更に、該処理ユニットが検出された該アップリンク伝送の復調に成功した場合、該第１アップリンク伝送が成功したと確定する。
【００９３】
選択肢として、該物理層シグナリングは該端末装置が該第１アップリンク伝送を一時停止することを指示ことに用いられる。この時、該第２送信ユニット４２０は、更に、該端末装置に物理層シグナリングを送信した後、該端末装置に第２指示情報を送信し、該第２指示情報は該端末装置が該第１アップリンク伝送を停止又は続行することを指示すること、又は該端末装置が修正済み設定パラメータを用いて該第１アップリンク伝送を行うことを指示することに用いられる。
【００９４】
選択肢として、該第２送信ユニット４２０は、更に、該端末装置に第２指示情報を送信する前に、該端末装置に第３指示情報を送信し、該第３指示情報は該端末装置のアップリンク伝送の一時停止のためにタイマーを設定することに用いられる。
【００９５】
それに対応して、該第２送信ユニット４２０が該端末装置に第２指示情報を送信することは、該タイマーがタイムアウトになる前に、該第２送信ユニット４２０が該端末装置に第２指示情報を送信することを含む。
【００９６】
選択肢として、該物理層シグナリングは、具体的に、該第１アップリンク伝送の設定パラメータである波形、伝送リソース、変調符号化方式ＭＣＳ及びビームフォーミングのためのパラメータのうちの少なくとも１つを修正することに用いられる。
【００９７】
選択肢として、該第２送信ユニット４２０は、更に、該物理層シグナリングが具体的に該第１アップリンク伝送の波形を修正することに用いられる場合、該端末装置に物理層シグナリングを送信する前に、該端末装置に高層シグナリングを送信することに用いられ、該高層シグナリングには該端末装置のサポートする少なくとも２つの選択可能なアップリンク波形の各選択可能なアップリンク波形に対応する設定パラメータが含まれ、該少なくとも２つの選択可能な波形は該第１アップリンク伝送の修正済み波形を含み、
それに対応して、該物理層シグナリングは該高層シグナリングに含まれる該修正済み波形に対応する設定パラメータを含む。
【００９８】
選択肢として、該第２送信ユニット４２０は、具体的に、該端末装置のアップリンク伝送波形を変更する必要があると確定したとき、該端末装置に物理層シグナリングを送信することに用いられる。
【００９９】
選択可能な一実施例として、該ネットワーク装置４００は、更に、
該端末装置から送信されるアップリンク参照信号を測定するための測定ユニットと、
該測定ユニットの測定結果に基づいて該端末装置のアップリンク伝送波形を確定するための確定ユニットと、を含む。
【０１００】
この時、該第２送信ユニット４２０は、具体的に、該確定ユニットの確定したアップリンク伝送波形が該端末装置の現在のアップリンク伝送波形と異なる場合、該端末装置に該物理層シグナリングを送信することに用いられる。
【０１０１】
選択可能な一例として、該確定ユニットは、具体的に、
該測定ユニットの測定結果で、該端末装置が現在セル中心領域に位置することが示される場合、該端末装置のアップリンク伝送波形がＯＦＤＭであると確定し、及び／又は
該測定ユニットの測定結果で、該端末装置が現在セルエッジ領域に位置することが示される場合、該端末装置のアップリンク伝送波形がＤＦＴ−ｓ−ＯＦＤＭであると確定することに用いられる。
【０１０２】
選択肢として、該第１アップリンク伝送は物理アップリンク共有チャネルＰＵＳＣＨの伝送、アップリンク参照信号の伝送及び物理アップリンク制御チャネルＰＵＣＣＨの伝送のうちの少なくとも１つを含む。
【０１０３】
選択肢として、該第１アップリンク伝送がＰＵＳＣＨの伝送を含む場合、該第１指示情報は該第１アップリンク伝送に対応するアップリンク伝送番号を含み、それに対応して、該物理層シグナリングには該第１アップリンク伝送に対応するアップリンク伝送番号が含まれる。
【０１０４】
選択肢として、該物理層シグナリングは更に該端末装置の第２アップリンク伝送をスケジューリングすることに用いられる。
【０１０５】
ここで、ネットワーク装置４００は機能ユニットの形式で具現されると理解すべきである。ここで、用語「ユニット」は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、１つ又は複数のソフトウェア又はファームウェアプログラムを実行するためのプロセッサ（例えば、共有プロセッサ、専用プロセッサ又はグループプロセッサ等）及びメモリ、併合化論理回路及び／又は上述の機能をサポートする他の適切なコンポーネントを指してもよい。選択可能な一例では、当業者であれば、ネットワーク装置４００は具体的に上記方法実施例におけるネットワーク装置であってもよく、ネットワーク装置４００は上記方法実施例におけるネットワーク装置に対応する各プロセス及び／又はステップを実行することに用いられてもよいと理解でき、重複を避けるため、詳細な説明は省略する。
【０１０６】
図５に本発明の実施例に係る端末装置５００を模式的に示す。該端末装置５００は、
ネットワーク装置から送信された第１指示情報を受信し、該第１指示情報は該端末装置の第１アップリンク伝送をスケジューリングし、該ネットワーク装置から送信された物理層シグナリングを受信することに用いられ、該物理層シグナリングは該端末装置が該第１アップリンク伝送を停止又は一時停止することを指示ことに用いられ、又は、該物理層シグナリングは該第１アップリンク伝送の設定パラメータを修正することに用いられる受信機５１０と、
該受信機５１０の受信した該物理層シグナリングに基づいて該第１アップリンク伝送の処理を実行するためのプロセッサ５２０と、を備える。
【０１０７】
選択肢として、該プロセッサ５２０は、具体的に、該受信機５１０が該物理層シグナリングを受信したときに該第１アップリンク伝送がまだ完了していない場合、該物理層シグナリングに基づいて該第１アップリンク伝送の処理を実行することに用いられる。
【０１０８】
選択肢として、該プロセッサ５２０は、更に、該受信機５１０が該物理層シグナリングを受信したときに該第１アップリンク伝送が既に完了した場合、該物理層シグナリングを廃棄することに用いられる。
【０１０９】
選択肢として、該物理層シグナリングは該端末装置が該第１アップリンク伝送を一時停止することを指示することに用いられる。この時、該受信機５１０は、更に、該プロセッサ５２０が該受信機５１０の受信した該物理層シグナリングに基づいて該第１アップリンク伝送の処理を実行した後、該ネットワーク装置から送信された第２指示情報を受信することに用いられ、該第２指示情報は該端末装置が該第１アップリンク伝送を停止又は続行することを指示すること、又は該端末装置が新しい設定パラメータを用いて該第１アップリンク伝送を行うことを指示することに用いられ、それに対応して、該プロセッサ５２０は、更に、該受信機５１０の受信した該第２指示情報に基づいて該第１アップリンク伝送の処理を実行することに用いられる。
【０１１０】
選択肢として、該プロセッサ５２０は、更に、該物理層シグナリングが該端末装置の該第１アップリンク伝送を一時停止することを指示することに用いられると確定したとき、タイマーを起動することに用いられ、それに対応して、該受信機５１０は、具体的に、該プロセッサ５２０の起動した該タイマーがタイムアウトになる前に該ネットワーク装置から送信された第２指示情報を受信することに用いられる。
【０１１１】
選択肢として、該プロセッサ５２０は、更に、該タイマーがタイムアウトになる前に該ネットワーク装置から送信された第２指示情報を受信していない場合、該第１アップリンク伝送を停止することに用いられる。
【０１１２】
選択肢として、該物理層シグナリングは、具体的に、該第１アップリンク伝送の設定パラメータである波形、伝送リソース、変調符号化方式ＭＣＳ及びビームフォーミングのためのパラメータのうちの少なくとも１つを修正することに用いられる。
【０１１３】
選択肢として、該受信機５１０は、更に、該物理層シグナリングが具体的に該第１アップリンク伝送の波形を修正することに用いられる場合、該ネットワーク装置から送信された物理層シグナリングを受信する前に、該ネットワーク装置から送信された高層シグナリングを受信することに用いられ、該高層シグナリングには該端末装置のサポートする少なくとも２つの選択可能なアップリンク波形の各選択可能なアップリンク波形に対応する設定パラメータが含まれ、該少なくとも２つの選択可能なアップリンク波形は該第１アップリンク伝送の修正済み波形を含む。
【０１１４】
この時、選択肢として、該物理層シグナリングは該高層シグナリングに含まれた該修正済み波形に対応する設定パラメータを含み、それに対応して、該プロセッサ５２０は、具体的に、更に、該受信機５１０の受信した該物理層シグナリングに含まれる設定パラメータに基づいて、該修正済み波形を用いて該第１アップリンク伝送を行うと確定することに用いられる。
【０１１５】
選択肢として、該受信機５１０は、具体的に、該端末装置のアップリンク伝送波形を変更する必要があると確定したときに該ネットワーク装置から送信された物理層シグナリングを受信することに用いられる。
【０１１６】
選択肢として、該第１アップリンク伝送は物理アップリンク共有チャネルＰＵＳＣＨの伝送、アップリンク参照信号の伝送及び物理アップリンク制御チャネルＰＵＣＣＨの伝送のうちの少なくとも１つを含む。
【０１１７】
選択肢として、該第１アップリンク伝送がＰＵＳＣＨの伝送を含む場合、該第１指示情報は該第１アップリンク伝送に対応するアップリンク伝送番号を含む。
【０１１８】
この時、選択肢として、該物理層シグナリングには該第１アップリンク伝送に対応するアップリンク伝送番号が含まれ、それに対応して、該プロセッサ５２０は、更に、該受信機５１０の受信した該物理層シグナリングに含まれるアップリンク伝送番号に基づいて、該物理層シグナリングに対応する該第１アップリンク伝送を確定することに用いられる。
【０１１９】
選択肢として、該物理層シグナリングは更に該端末装置の第２アップリンク伝送をスケジューリングすることに用いられ、それに対応して、該プロセッサ５２０は更に該物理層シグナリングに基づいて該第２アップリンク伝送を行うことに用いられる。
【０１２０】
ここで、端末装置５００は具体的に上記実施例における端末装置であってもよく、且つ上記方法実施例における端末装置に対応する各ステップ及び／又はプロセスを実行することに用いられてもよいと理解すべきである。
【０１２１】
選択肢として、端末装置５００は更にメモリを備えてもよく、該メモリは読み出し専用メモリ及びランダムアクセスメモリを含んでもよく、且つプロセッサに命令及びデータを提供する。メモリの一部は更に不揮発性ランダムアクセスメモリを含んでもよい。例えば、メモリに更に装置タイプの情報が記憶されてもよい。該プロセッサ５２０はメモリに記憶される命令を実行することに用いられてもよく、且つ該プロセッサが該命令を実行するとき、該プロセッサは上記方法実施例における端末装置に対応する各ステップを実行することができる。
【０１２２】
図６に本発明の実施例に係るネットワーク装置６００を模式的に示す。該ネットワーク装置６００は送信機６１０及びプロセッサ６２０を備え、
該送信機６１０は端末装置の第１アップリンク伝送をスケジューリングするための第１指示情報を端末装置に送信することに用いられ、そして該端末装置の該第１アップリンク伝送を停止又は一時停止することを指示し、又は該第１アップリンク伝送の設定パラメータを修正するための物理層シグナリングを該端末装置に送信することに用いられる。
【０１２３】
選択肢として、該プロセッサ６２０は、該送信機６１０が該端末装置に物理層シグナリングを送信した後、該第１指示情報によってスケジューリングされた伝送リソースにおいて検出を行い、そして該伝送リソースにおいてアップリンク伝送を検出した場合、検出されたアップリンク伝送に対して復調処理を行うことに用いられる。
【０１２４】
選択肢として、該プロセッサ６２０は、更に、検出された該アップリンク伝送の復調に成功した場合、該第１アップリンク伝送に成功したと確定することに用いられる。
【０１２５】
選択肢として、該物理層シグナリングは該端末装置が該第１アップリンク伝送を一時停止することを指示ことに用いられる。この時、該送信機６１０は、更に、該端末装置に物理層シグナリングを送信した後、該端末装置に第２指示情報を送信し、該第２指示情報は該端末装置が該第１アップリンク伝送を停止又は続行することを指示すること、又は該端末装置が修正済み設定パラメータを用いて該第１アップリンク伝送を行うことを指示することに用いられる。
【０１２６】
選択肢として、該送信機６１０は、更に、該端末装置に第２指示情報を送信する前に、該端末装置に第３指示情報を送信することに用いられ、該第３指示情報は該端末装置のアップリンク伝送の一時停止のためにタイマーを設定することに用いられる。
【０１２７】
それに対応して、該送信機６１０が該端末装置に第２指示情報を送信することは、該タイマーがタイムアウトになる前に、該送信機６１０が該端末装置に第２指示情報を送信することを含む。
【０１２８】
選択肢として、該物理層シグナリングは、具体的に、該第１アップリンク伝送の設定パラメータである波形、伝送リソース、変調符号化方式ＭＣＳ及びビームフォーミングのためのパラメータのうちの少なくとも１つを修正することに用いられる。
【０１２９】
選択肢として、該送信機６１０は、更に、該物理層シグナリングが具体的に該第１アップリンク伝送の波形を修正することに用いられる場合、該端末装置に物理層シグナリングを送信する前に、該端末装置に高層シグナリングを送信することに用いられ、該高層シグナリングには該端末装置のサポートする少なくとも２つの選択可能なアップリンク波形の各選択可能なアップリンク波形に対応する設定パラメータが含まれ、該少なくとも２つの選択可能な波形は該第１アップリンク伝送の修正済み波形を含み、
それに対応して、該物理層シグナリングは該高層シグナリングに含まれる該修正済み波形に対応する設定パラメータを含む。
【０１３０】
選択肢として、該送信機６１０は、具体的に、該端末装置のアップリンク伝送波形を変更する必要があると確定したときに該プロセッサ６２０が該端末装置に物理層シグナリングを送信することに用いられる。
【０１３１】
選択可能な一実施例として、該プロセッサ６２０は、該端末装置から送信されたアップリンク参照信号を測定し、そして該測定結果に基づいて該端末装置のアップリンク伝送波形を確定することに用いられる。
【０１３２】
該プロセッサ６２０は、具体的に、確定されたアップリンク伝送波形が該端末装置の現在のアップリンク伝送波形と異なる場合、該端末装置のアップリンク伝送波形を変更する必要があると確定することに用いられる。
【０１３３】
この時、該送信機６１０は、具体的に、該プロセッサ６２０の確定したアップリンク伝送波形が該端末装置の現在のアップリンク伝送波形と異なる場合、該端末装置に該物理層シグナリングを送信することに用いられる。
【０１３４】
選択可能な一例として、該プロセッサ６２０は、具体的に、
測定結果で、該端末装置が現在セル中心領域に位置すると示される場合、該端末装置のアップリンク伝送波形がＯＦＤＭであると確定し、及び／又は
測定結果で、該端末装置が現在セルエッジ領域に位置すると示される場合、該端末装置のアップリンク伝送波形がＤＦＴ−ｓ−ＯＦＤＭであると確定することに用いられる。
【０１３５】
選択肢として、該第１アップリンク伝送は物理アップリンク共有チャネルＰＵＳＣＨの伝送、アップリンク参照信号の伝送及び物理アップリンク制御チャネルＰＵＣＣＨの伝送のうちの少なくとも１つを含む。
【０１３６】
選択肢として、該第１アップリンク伝送がＰＵＳＣＨの伝送を含む場合、該第１指示情報は該第１アップリンク伝送に対応するアップリンク伝送番号を含み、それに対応して、該物理層シグナリングには該第１アップリンク伝送に対応するアップリンク伝送番号が含まれる。
【０１３７】
選択肢として、該物理層シグナリングは更に該端末装置の第２アップリンク伝送をスケジューリングすることに用いられる。
【０１３８】
ここで、ネットワーク装置６００は具体的に上記実施例におけるネットワーク装置であってもよく、且つ上記方法実施例におけるネットワーク装置に対応する各ステップ及び／又はプロセスを実行することに用いられてもよいと理解すべきである。
【０１３９】
選択肢として、ネットワーク装置６００は更にメモリを備えてもよく、該メモリは読み出し専用メモリ及びランダムアクセスメモリを含んでもよく、且つプロセッサに命令及びデータを提供する。メモリの一部は更に不揮発性ランダムアクセスメモリを含んでもよい。例えば、メモリに更に装置タイプの情報が記憶されてもよい。該プロセッサ６２０はメモリに記憶される命令を実行することに用いられてもよく、且つ該プロセッサが該命令を実行するとき、該プロセッサは上記方法実施例における端末装置に対応する各ステップを実行することができる。
【０１４０】
当業者であれば、本明細書に開示される実施例を参照して説明した各方法ステップ及びユニットは、電子ハードウェア、コンピュータソフトウェア又はそれらの組み合わせで実現されてもよく、ハードウェアとソフトウェアとの互換性を明確に説明するために、上記説明において既に機能に基づいて各実施例のステップ及び構成を一般的に説明したと認識しうる。これらの機能をハードウェア又はソフトウェア方式で実行するかは、技術案の特定アプリケーション及び設計制約条件によって決められる。当業者は各特定アプリケーションに対して様々な方法で説明された機能を実現することができるが、このような実現は本発明の範囲を超えると見なされるべきではない。
【０１４１】
当業者であれば、説明を簡易にするために、上記説明されたシステム、装置及びユニットの具体的な動作過程は、上記方法実施例における対応過程を参照してもよく、ここで詳細な説明は省略すると明確に理解しうる。
【０１４２】
本願に係るいくつかの実施例において、開示されたシステム、装置及び方法は他の方式で実現されてもよいと理解すべきである。例えば、以上に説明された装置実施例は模式的なものに過ぎず、例えば、前記ユニットの区分けは論理機能上の区分けに過ぎず、実際に実現するとき、他の区分け方式を用いてもよく、例えば、複数のユニット又はコンポーネントは他のシステムに結合又は統合されてもよく、又はいくつかの特徴は省略してもよいし、実行しなくてもよい。また、表示又は検討される相互間の結合又は直接結合又は通信接続はいくつかのインターフェース、装置又はユニットによる間接結合又は通信接続であってもよいし、電気、機械又は他の形式の接続であってもよい。
【０１４３】
分離部材として説明された前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに分布してもよい。実際の必要に応じて、その一部又は全部のユニットを選択して本発明の実施例考案の目的を実現してもよい。
【０１４４】
また、本発明の各実施例において、各機能ユニットは１つの処理ユニットに統合されてもよく、各ユニットは独立して物理的に存在してもよく、２つ又は２つ以上のユニットが１つのユニットに統合されてもよい。上記統合されたユニットはハードウェアの形式で実現されてもよいし、ソフトウェア機能ユニットの形式で実現されてもよい。
【０１４５】
前記統合されたユニットはソフトウェア機能ユニットの形式で実現され、且つ独立した製品として販売又は使用されるとき、１つのコンピュータ可読記憶媒体に記憶されてもよい。このような理解に基づき、本発明の技術案の本質又は従来技術に貢献する部分又は該技術案の全部又は一部はソフトウェア製品の形式で具現されてもよく、該コンピュータソフトウェア製品は、１台のコンピュータ装置（パーソナルコンピュータ、サーバ、又はネットワーク装置等であってもよい）に本発明の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１４６】
以上の説明は、本発明の具体的な実施形態に過ぎず、本発明の保護範囲を限定するためのものではなく、当業者が本発明に開示された技術的範囲内において容易に想到し得る様々な等価修正又は置換は、いずれも本発明の保護範囲内に含まれるべきである。従って、本発明の保護範囲は特許請求の範囲に準じるべきである。
【図１】
2019536326.tif 000003
【図２】
2019536326.tif 000004
【図３】
2019536326.tif 000005
【図４】
2019536326.tif 000006
【図５】
2019536326.tif 000007
【図６】
2019536326.tif 000008
【手続補正書】
【提出日】令和1年10月16日(2019.10.16)
【手続補正１】
【補正対象書類名】明細書
【補正対象項目名】００２３
【補正方法】変更
【補正の内容】
【００２３】
第２態様の上記可能な実現方式を参照して、第２態様の第３可能な実現方式では、該ネットワーク装置が該端末装置に第２指示情報を送信する前に、該方法は、更に、該ネットワーク装置が該端末装置に第３指示情報を送信し、該第３指示情報は該端末装置の第１アップリンク伝送の一時停止のためにタイマーを設定することに用いられることを含み、該ネットワーク装置が該端末装置に第２指示情報を送信することは、該タイマーがタイムアウトになる前に、該ネットワーク装置が該端末装置に第２指示情報を送信することを含む。
【手続補正２】
【補正対象書類名】明細書
【補正対象項目名】００２５
【補正方法】変更
【補正の内容】
【００２５】
第２態様の上記可能な実現方式を参照して、第２態様の第５可能な実現方式では、該ネットワーク装置が該端末装置に物理層シグナリングを送信する前に、該方法は、更に、該物理層シグナリングが具体的に該第１アップリンク伝送の波形を修正することに用いられる場合、該ネットワーク装置が該端末装置に高層シグナリングを送信することを含み、該高層シグナリングには該端末装置のサポートする少なくとも２つの選択可能なアップリンク波形の各選択可能なアップリンク波形に対応する設定パラメータが含まれ、該少なくとも２つの選択可能なアップリンク波形は該第１アップリンク伝送の修正済み波形を含み、該物理層シグナリングが該高層シグナリングに含まれる該修正済み波形に対応する設定パラメータを含む。
【手続補正３】
【補正対象書類名】明細書
【補正対象項目名】００７２
【補正方法】変更
【補正の内容】
【００７２】
選択肢として、Ｓ２２０の後で、該ネットワーク装置は該第１指示情報によってスケジューリングされた伝送リソースにおいて引き続き検出を行い、つまり該第１アップリンク伝送の初期伝送リソースにおいて検出を行うことができる。該ネットワーク装置がアップリンク伝送を検出した場合、検出されたアップリンク伝送に対して復調処理を行うことができる。復調に成功した場合、ネットワーク装置は該第１アップリンク伝送に対応するデータ又は情報を正しく受信したと確定し、つまり該第１アップリンク伝送が既に完了したと見なされてもよいが、本発明の実施例はこれに限らない。
【手続補正４】
【補正対象書類名】明細書
【補正対象項目名】００９７
【補正方法】変更
【補正の内容】
【００９７】
選択肢として、該第２送信ユニット４２０は、更に、該物理層シグナリングが具体的に該第１アップリンク伝送の波形を修正することに用いられる場合、該端末装置に物理層シグナリングを送信する前に、該端末装置に高層シグナリングを送信することに用いられ、該高層シグナリングには該端末装置のサポートする少なくとも２つの選択可能なアップリンク波形の各選択可能なアップリンク波形に対応する設定パラメータが含まれ、該少なくとも２つの選択可能なアップリンク波形は該第１アップリンク伝送の修正済み波形を含み、
それに対応して、該物理層シグナリングは該高層シグナリングに含まれる該修正済み波形に対応する設定パラメータを含む。
【手続補正５】
【補正対象書類名】明細書
【補正対象項目名】０１２９
【補正方法】変更
【補正の内容】
【０１２９】
選択肢として、該送信機６１０は、更に、該物理層シグナリングが具体的に該第１アップリンク伝送の波形を修正することに用いられる場合、該端末装置に物理層シグナリングを送信する前に、該端末装置に高層シグナリングを送信することに用いられ、該高層シグナリングには該端末装置のサポートする少なくとも２つの選択可能なアップリンク波形の各選択可能なアップリンク波形に対応する設定パラメータが含まれ、該少なくとも２つの選択可能なアップリンク波形は該第１アップリンク伝送の修正済み波形を含み、
それに対応して、該物理層シグナリングは該高層シグナリングに含まれる該修正済み波形に対応する設定パラメータを含む。
【手続補正６】
【補正対象書類名】特許請求の範囲
【補正対象項目名】全文
【補正方法】変更
【補正の内容】
【特許請求の範囲】
【請求項１】
通信方法であって、
端末装置はネットワーク装置から送信された第１指示情報を受信し、前記第１指示情報は前記端末装置の第１アップリンク伝送をスケジューリングすることに用いられることと、
前記端末装置は前記ネットワーク装置から送信された物理層シグナリングを受信し、前記物理層シグナリングは前記端末装置が前記第１アップリンク伝送を停止又は一時停止することを指示することに用いられ、又は前記物理層シグナリングは前記第１アップリンク伝送の設定パラメータを修正することに用いられることと、
前記端末装置は前記物理層シグナリングに基づいて前記第１アップリンク伝送の処理を実行することと、を含むことを特徴とする通信方法。
【請求項２】
前記端末装置が前記物理層シグナリングに基づいて前記第１アップリンク伝送の処理を実行することは、
前記物理層シグナリングを受信したときに前記端末装置がまだ前記第１アップリンク伝送を完了していない場合、前記物理層シグナリングに基づいて前記第１アップリンク伝送の処理を実行することを含むことを特徴とする請求項１に記載の方法。
【請求項３】
前記方法は、更に、
前記物理層シグナリングを受信したときに前記端末装置が前記第１アップリンク伝送を既に完了した場合、前記端末装置が前記物理層シグナリングを廃棄することを含むことを特徴とする請求項１又は２に記載の方法。
【請求項４】
前記物理層シグナリングは前記端末装置が前記第１アップリンク伝送を一時停止することを指示することに用いられ、
前記端末装置が前記物理層シグナリングに基づいて前記第１アップリンク伝送の処理を実行した後、前記方法は、更に、
前記端末装置が前記ネットワーク装置から送信された第２指示情報を受信し、前記第２指示情報は前記端末装置が前記第１アップリンク伝送を停止又は続行することを指示すること、又は前記端末装置が新しい設定パラメータを用いて前記第１アップリンク伝送を行うことを指示することに用いられることと、
前記端末装置が前記第２指示情報に基づいて前記第１アップリンク伝送の処理を実行することと、を含むことを特徴とする請求項１〜３のいずれか１項に記載の方法。
【請求項５】
前記方法は、更に、
前記物理層シグナリングが前記端末装置の前記第１アップリンク伝送を一時停止することを指示することに用いられると確定したとき、前記端末装置がタイマーを起動することを含み、
前記端末装置が前記ネットワーク装置から送信された第２指示情報を受信することは、
前記端末装置が、前記タイマーがタイムアウトになる前に前記ネットワーク装置から送信された第２指示情報を受信することを含むことを特徴とする請求項４に記載の方法。
【請求項６】
前記方法は、更に、
前記タイマーがタイムアウトになる前に、前記ネットワーク装置から送信された第２指示情報を受信していない場合、前記端末装置が前記第１アップリンク伝送を停止することを含むことを特徴とする請求項５に記載の方法。
【請求項７】
前記物理層シグナリングは、具体的に、前記第１アップリンク伝送の設定パラメータである波形、伝送リソース、変調符号化方式ＭＣＳ及びビームフォーミングのためのパラメータのうちの少なくとも１つを修正することに用いられることを特徴とする請求項１〜６のいずれか１項に記載の方法。
【請求項８】
前記端末装置が前記ネットワーク装置から送信された物理層シグナリングを受信する前に、前記方法は、更に、
前記物理層シグナリングが具体的に前記第１アップリンク伝送の波形を修正することに用いられる場合、前記端末装置が前記ネットワーク装置から送信された高層シグナリングを受信し、前記高層シグナリングには前記端末装置のサポートする少なくとも２つの選択可能なアップリンク波形の各選択可能なアップリンク波形に対応する設定パラメータが含まれ、前記少なくとも２つの選択可能なアップリンク波形は前記第１アップリンク伝送の修正済み波形を含むことと、
前記物理層シグナリングが前記高層シグナリングに含まれる、前記修正済み波形に対応する設定パラメータを含むことと、を含み、
前記端末装置が前記ネットワーク装置から送信された物理層シグナリングを受信した後、前記方法は、更に、
前記端末装置が前記物理層シグナリングに含まれる設定パラメータに基づいて、前記修正済み波形を用いて前記第１アップリンク伝送を行うことを確定することを含むことを特徴とする請求項１〜７のいずれか１項に記載の方法。
【請求項９】
前記端末装置が前記ネットワーク装置から送信された物理層シグナリングを受信することは、
前記端末装置のアップリンク伝送波形を変更する必要があると確定したとき、前記端末装置が前記ネットワーク装置から送信された物理層シグナリングを受信することを含むことを特徴とする請求項１〜８のいずれか１項に記載の方法。
【請求項１０】
前記第１アップリンク伝送は物理アップリンク共有チャネルＰＵＳＣＨの伝送、アップリンク参照信号の伝送及び物理アップリンク制御チャネルＰＵＣＣＨの伝送のうちの少なくとも１つを含むことを特徴とする請求項１〜９のいずれか１項に記載の方法。
【請求項１１】
前記第１アップリンク伝送がＰＵＳＣＨの伝送を含む場合、前記第１指示情報は前記第１アップリンク伝送に対応するアップリンク伝送番号を含み、
前記物理層シグナリングには前記第１アップリンク伝送に対応するアップリンク伝送番号が含まれ、
前記端末装置が前記ネットワーク装置から送信された物理層シグナリングを受信した後、前記方法は、更に、
前記端末装置が前記物理層シグナリングに含まれるアップリンク伝送番号に基づいて、前記物理層シグナリングに対応する前記第１アップリンク伝送を確定することを含むことを特徴とする請求項１〜１０のいずれか１項に記載の方法。
【請求項１２】
前記物理層シグナリングは更に前記端末装置の第２アップリンク伝送をスケジューリングすることに用いられ、
前記方法は、更に、
前記物理層シグナリングに基づいて前記第２アップリンク伝送を行うことを含むことを特徴とする請求項１〜１１のいずれか１項に記載の方法。
【請求項１３】
通信方法であって、
ネットワーク装置は端末装置に第１指示情報を送信し、前記第１指示情報は前記端末装置の第１アップリンク伝送をスケジューリングすることに用いられることと、
前記ネットワーク装置は前記端末装置に物理層シグナリングを送信し、前記物理層シグナリングは前記端末装置が前記第１アップリンク伝送を停止又は一時停止することを指示することに用いられ、又は前記物理層シグナリングは前記第１アップリンク伝送の設定パラメータを修正することに用いられることと、を含むことを特徴とする通信方法。
【請求項１４】
端末装置であって、
ネットワーク装置から送信された第１指示情報を受信し、前記第１指示情報は前記端末装置の第１アップリンク伝送をスケジューリングすること、及び前記ネットワーク装置から送信された物理層シグナリングを受信することに用いられ、前記物理層シグナリングは前記端末装置が前記第１アップリンク伝送を停止又は一時停止することを指示することに用いられ、又は前記物理層シグナリングは前記第１アップリンク伝送の設定パラメータを修正することに用いられる受信ユニットと、
前記受信ユニットの受信した前記物理層シグナリングに基づいて前記第１アップリンク伝送の処理を実行するための処理ユニットと、を含むことを特徴とする端末装置。
【請求項１５】
ネットワーク装置であって、
端末装置に第１指示情報を送信することに用いられ、前記第１指示情報は前記端末装置の第１アップリンク伝送をスケジューリングすることに用いられる第１送信ユニットと、
前記端末装置に物理層シグナリングを送信することに用いられ、前記物理層シグナリングは前記端末装置が前記第１アップリンク伝送を停止又は一時停止することを指示することに用いられ、又は前記物理層シグナリングは前記第１アップリンク伝送の設定パラメータを修正することに用いられる第２送信ユニットと、を含むことを特徴とするネットワーク装置。
【国際調査報告】
2019536326.tif 000009
2019536326.tif 000010
2019536326.tif 000011
2019536326.tif 000012